(57)【特許請求の範囲】
【請求項１】
コンピュータに、
ａ：撮像デバイスによって撮像された画像を解析して、または、眼電位センシングデバイスによって検出されたデータに基づいて、読影作業を行っている術者の目の開閉状態を判別する処理と、
ｂ：目の開閉状態が正常範囲内であるか否かの判定を行う処理と、
ｃ：読影動作に関連付けられた所定の動作を行う処理と、
を実行させるコンピュータプログラムであって、
読影動作に関連付けられた前記所定の動作が、
複数の医用画像を所定速度で順次表示していくページング機能の使用において、術者の目の開閉状態が正常範囲外である場合にページングが行われたときにはそのページング中に進んだ分の医用画像を認識するための画像表示部を表示させることである、
コンピュータプログラム。
【請求項２】
目の開閉状態が正常範囲外の場合に、
コンピュータに、医用画像のページングの速度を低減させる処理を実行させる、
請求項１に記載のコンピュータプログラム。
【請求項３】
請求項１または２に記載のコンピュータプログラムと、
術者を撮像する撮像デバイスまたは眼電位センシングデバイスと、
を備えるキット。
【請求項４】
前記撮像デバイスまたは眼電位センシングデバイスが眼鏡の一部として設けられている、請求項３に記載のキット。
【請求項５】
前記画像表示部は、読影画面に表示されたスクロールゲージの一部に表示される、
請求項１または２に記載のコンピュータプログラム。
【請求項６】
患者の医用画像を撮像する医療用撮像装置によって撮像された医用画像を読影するための医療用画像読影装置であって、
前記医用画像を表示するための表示デバイスと、
前記表示デバイスを見ながら作業を行う術者を撮像する撮像デバイス、または、眼電位センシングデバイスと、
少なくとも画像読影機能を有する制御ユニットと、を備え、
前記画像読影機能は、複数の医用画像を所定速度で順次表示していくページング機能を有するものであり、
前記制御ユニットは、
ａ：術者の目の開閉状態を判別し、
ｂ：目の開閉状態が正常範囲内であるか否かの判定を行い、
ｃ：読影動作に関連付けられた所定の動作を行う、
ように構成されたものであって、
術者の目の開閉状態が正常範囲外である場合にページングが行われたときに、読影動作に関連付けられた前記所定の動作として、そのページング中に進んだ分の医用画像を認識するための画像表示部が表示させる、医療用画像読影装置。
【請求項７】
前記制御ユニットは、目の開閉状態が正常範囲内であるか否かの前記判定として、
ｂ１：術者の目が一定時間以上閉じているか否かを判定する、
請求項６に記載の医療用画像読影装置。
【請求項８】
前記制御ユニットは、目の開閉状態が正常範囲内であるか否かの前記判定として、
ｂ２：術者のまばたきの時間間隔が所定の閾値以下となっているか否かを判定する、
請求項６または７に記載の医療用画像読影装置。
【請求項９】
前記制御ユニットは、
術者の目の開閉状態が正常範囲外である場合に、ページング速度を低減させるように構成されている、
請求項６〜８のいずれか一項に記載の医療用画像読影装置。
【請求項１０】
前記画像表示部は、読影画面に表示されたスクロールゲージの一部に表示される、
請求項６〜９のいずれか一項に記載の医療用画像読影装置。
【請求項１１】
ａ：撮像デバイスによって撮像された画像を解析して、または、眼電位センシングデバイスによって検出されたデータに基づいて、読影作業を行っている術者の目の開閉状態を判別するステップと、
ｂ：目の開閉状態が正常範囲内であるか否かの判定を行うステップと、
ｃ：読影動作に関連付けられた所定の動作を行うステップと、
を有し、前記ａ〜ｃのステップはコンピュータによって行われる、医療用画像の提示方法であって、
読影動作に関連付けられた前記所定の動作が、
複数の医用画像を所定速度で順次表示していくページング機能の使用において、術者の目の開閉状態が正常範囲外である場合にページングが行われたときにはそのページング中に進んだ分の医用画像を認識するための画像表示部を表示させることである、
医療用画像の提示方法。
【請求項１２】
前記画像表示部は、読影画面に表示されたスクロールゲージの一部に表示される、
請求項１１に医療用画像の提示方法。
【発明の詳細な説明】
【技術分野】
【０００１】
本発明は、画像診断における病巣等の見落としの発生を低減し、より高信頼性な画像診断に寄与することができる医療用画像読影装置およびそれを備えた画像診断システム等に関する。
【背景技術】
【０００２】
現在、医療用の画像診断装置として、ＣＴ(Ｃｏｍｐｕｔｅｄ  Ｔｏｍｏｇｒａｐｈｙ)スキャナ、ＭＲＩ(Ｍａｇｎｅｔｉｃ  Ｒｅｓｏｎａｎｃｅ  Ｉｍａｇｉｎｇ)装置、ＰＥＴ(Ｐｏｓｉｔｒｏｎ  Ｅｍｉｓｓｉｏｎ  Ｔｏｍｏｇｒａｐｈｙ)装置、超音波診断装置、血管造影（アンギオグラフィ）撮像装置等が知られている。
【０００３】
近年の撮像装置の高性能化に伴って一度の検査で得られる医用画像等はより大量になり、従来では発見できなかったような微小な病巣等の発見も可能となってきている。また、こうした大量の医用画像等をビューワ上で読影するソフトウェアも種々提案されている。
【先行技術文献】
【特許文献】
【０００４】
【特許文献１】特開２００７−１１１４３３号
【発明の概要】
【発明が解決しようとする課題】
【０００５】
本発明の目的は、画像診断における病巣等の見落としの発生を低減し、より高信頼性な画像診断に寄与することができる医療用画像読影装置等を提供することにある。
【課題を解決するための手段】
【０００６】
上記課題を解決するための本発明の一形態の医療用画像読影装置は下記の通りである：
患者の医用画像（画像のみに限らず、動画をも含む。）を撮像する医療用撮像装置によって撮像された医用画像を読影するための医療用画像読影装置であって、
前記医用画像を表示するための表示デバイスと、
前記表示デバイスを見ながら作業を行う術者を撮像する撮像デバイス、または、眼電位センシングデバイスと、
制御ユニットと、を備え、
前記制御ユニットは、
ａ：術者の目の開閉状態を判別し、
ｂ：目の開閉状態が正常範囲内であるか否かの判定を行い、
ｃ：術者に対する警告動作および／または読影動作に関連付けられた所定の動作を行う、
ように構成されている、医療用画像読影装置。
【発明の効果】
【０００７】
本発明によれば、画像診断における病巣等の見落としの発生を低減し、より高信頼性な画像診断に寄与することができる医療用画像読影装置等を提供することができる。
【図面の簡単な説明】
【０００８】
【図１】一実施形態の画像診断システムの構成を模式的に示すブロック図である。
【図２】画像読影装置の物理的構成の一例を示す図である。
【図３】まばたき検出およびその検出結果に基づく画像読影装置の動作の一例を示すフローチャートである。
【図４】読影画面上のスクロールゲージの表示態様の一例を示す図である。
【図５】読影画面およびスクロールゲージの表示態様の一例を示す図である。
【図６】眼鏡およびそれに取り付けられる撮像デバイスの一例を示す図である。
【図７】他の形態に係るシステムの構成を模式的に示すブロック図であり、撮像デバイスが眼電位センシングデバイスに置き換えられている点以外は、図１と同様の構成となっている。
【発明を実施するための形態】
【０００９】
本発明の実施の形態を図面を参照して以下に説明する。
【００１０】
（第１の実施形態）
本実施形態の画像診断システム１００は、図１に示すように、患者の医用画像を撮像する医療用撮像装置３００と、画像診断を行うためのビューワである医療用画像読影装置５００とを備えている。
【００１１】
なお、本発明においては当然ながら、これらの構成要素以外にも例えば、患者に造影剤等の薬液を注入するための薬液注入装置、放射線科情報システムであるＲＩＳ（Ｒａｄｉｏｌｏｇｙ  Ｉｎｆｏｒｍａｔｉｏｎ  Ｓｙｓｔｅｍ）、画像保存通信システムであるＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）等が備えられていてもよい。
【００１２】
〔撮像装置について〕
撮像装置３００としては、例えばＸ線ＣＴスキャナやＭＲＩ装置であってもよい。この例では、撮像装置３００は、図１に模式的に示すように、患者の医用画像を撮像する撮像部３０３ｂと、患者を載せるベッド３０４と、それらの動作を制御する制御部３０３ａとを有している。また、詳細な説明は省略するが、撮像装置３００は、撮像した患者の医用画像を外部のシステムまたは機器に送信する機能を有している。ここで、撮像装置３００は、透視画像を撮像する機能に限らず、動画を撮像する機能を有していてもよい。本明細書の「医用画像」には、医用の画像のみならず、動画も含まれうる。
【００１３】
外部との通信の方式は特に限定されるものではなく、従来公知の通信方式、通信プロトコルを適宜利用可能である。
【００１４】
〔画像読影装置について〕
画像読影装置５００は、撮像装置３００により取得された患者の医用画像を読影するのに使用される。この画像読影装置５００は、例えば、一般的なコンピュータと同様の構成を有するものであってもよい。具体的には、例えば、図１および図２に示すように、コンピュータ筐体５０３に配置された制御ユニット５０１ａと、記憶装置５０１ｂと、表示デバイス５０２と、入力装置５０５、５０６などを備えるものであってもよい。
【００１５】
制御ユニット５０１ａは、プロセッサおよびメモリなどを含むハードウェアであり、コンピュータプログラムに従って種々の機能を実現する。このコンピュータプログラムは、例えば、記憶部５０１ｂまたは制御ユニット５０１ａ内のメモリに記憶されていてもよい。
【００１６】
表示デバイス５０２は、例えば液晶ディスプレイ（ＬＣＤ：Ｌｉｑｕｉｄ  Ｃｒｙｓｔａｌ  Ｄｉｓｐｌａｙ）等であってもよく、患者の医用画像を始めとして種々の情報が表示される。表示デバイス５０２の数は特に限定されるものではなく、１つまたは複数であってもよい。
【００１７】
入力装置としては、例えば、キーボード５０５、マウス５０６、トラックボール（不図示）、ジョイスティック（不図示）などの任意のデバイスが挙げられる。なお、マウスやトラックボールといった一般コンピュータ用の入力手段に限らず、レバーを操作することで画像の切り替えを行う医療用の入力装置を利用してもよい。
【００１８】
記憶部５０１ｂは、各種のデータを記憶するハードディスクドライブ等であってもよい。なお、上述した制御ユニット５０１ａは、制御部、プロセッサユニット、コントローラ、コントローラユニット、マイクロコンピュータ等とも称することができるものである。
【００１９】
コンピュータプログラムとしては、例えば、次のような読影用の機能を実現するものであってもよい：
−撮像装置によって撮像された患者の医用画像のデータを取得する機能、
−複数の医用画像を読影するための読影画面を表示デバイスに表示させる機能、
−術者による入力手段の操作に合わせて表示される医用画像を切り替えていく機能、
−所定の撮像範囲（例えば体軸方向に沿う所定の範囲）において、画像を、所定の切替速度で自動でページングしていく機能、等。
【００２０】
本実施形態ではさらに、図１、図２に示すように、画像読影装置５００に、医用画像を読影する作業を行っている術者を撮像する撮像デバイス５６０が設けられている。この撮像デバイス５６０は、例えば、デジタル方式で撮像を行うカメラユニットであってもよく、具体的な一例としてＣＣＤカメラ等を用いることもできる。撮像デバイス５６０は、図２のように表示デバイス５０２の一部に取り付けられるような小型のものであってもよい。具体的には、表示デバイス５０２の上部であってもよい。
【００２１】
別の例としては、表示デバイス５０２に取り付けるのではなく、専用の保持部材（不図示）に撮像デバイス５６０を保持させるようにしてもよい。あるいは、単にカメラユニットそのものを読影作業が行なわれるテーブル上に配置する構成としてもよい。撮像デバイス５６０と制御ユニット５０１ａとの間の信号のやりとりは、有線接続を介して行なわれてもよいし、無線接続を介して行なわれてもよい。
【００２２】
本実施形態では、制御ユニット５０１ａに下記するまばたき検出機能を実現するためのコンピュータプログラム（ソフトウェア）も実装されている。このコンピュータプログラムは、少なくとも次のような機能を実現するためのものである。
ａ：撮像デバイスで撮像された術者の目の開閉状態を判別し、
ｂ：目の開閉状態が正常範囲内であるか否かの判定を行い、
ｃ：術者に対する警告動作および／または読影動作に関連付けられた所定の動作を行う。なお、この動作は、一例で、ｂの判定の結果、目の開閉状態が正常範囲外と判定される場合に行われるものであってもよい。
【００２３】
より具体的には、上記ａにおいては、制御ユニット５０１ａは、術者の一方の目または両方の目の開閉状態を判別する。すなわち、目が開いているかまたは閉じているかや、単位時間あたりのまばたきの回数や、目の開度等のうち１つまたは複数を判別する。
【００２４】
上記ｂにおいては、例えば、次の一方または双方の判定を行う。
ｂ１：術者の目が一定時間以上閉じているか否か、
ｂ２：術者の目の開閉間隔が所定の閾値以下となっているか否か。
【００２５】
「術者の目が一定時間閉じている場合」には、術者が睡眠状態にあるものと推定され、当該状態では画像診断の精度が低下している可能性がある。ここで、基準となる「一定時間」の長さは特に限定されるものではないが、例えば、数秒程度であってもよい。どの術者に対しても一律に同じ基準時間が用いられてもよいし、読影を行う術者毎に基準時間が変更されてもよい。
【００２６】
次いで、「術者の目の開閉間隔が所定の閾値以下となる場合」とは、例えば術者に眠気が生じていると推定される場合である。具体的には、予め登録されたその術者の正常時の目の開閉間隔（まばたき回数）に基づく閾値を用意しておき、その閾値と、検出された術者の目の開閉間隔（まばたき回数）とを比較することで、この判定が行われてもよい。基準となる閾値としては、その術者に固有のものではなく、一般的な、目の開閉間隔（まばたき回数）の値が設定されていてもよい。
【００２７】
最後に、上記ｃにおいては、術者に対する警告として、例えば、音、画像、文字情報、および振動の１つまたは複数であるアラームが発せられるようになっていてもよい。このアラームを発する手段は、画像読影装置５００に備えられた機器であってもよいし、または、他の装置ないし設備に備えられた機器であってもよい。
【００２８】
また、上記ｃにおける「読影動作に関連付けられた所定の動作」としては、一例で次のようなものの１つまたは複数であってもよい：
ｃ１：ページング動作におけるページング速度を低減させる、または、ページング動作を停止する、
ｃ２：ページング動作が行われた場合、そのページングで進んだ分の医用画像を認識するための画像表示部が表示される、等。
【００２９】
上記ｃ１のように、ページング動作の速度を落としたり、あるいは停止させたりすることにより、術者が画像を精査できないような状態で自動で医用画像がページングされ、病巣等を見落としてしまうようなことが低減または防止される。
【００３０】
上記ｃ２のように、術者が画像を精査できないような状態でどこからどこまでの医用画像がページングされてしまったかを知ることができるように構成されている場合、術者は、医用画像の全てをもう一度見直すのではなく、見落とした疑いのある対象画像のみを読影すれば済むので、作業効率の点で好ましい。
【００３１】
（マウスの動作制御）
なお、撮像デバイスとしては、図６に示すような、眼鏡（一例）に取り付けられるタイプの撮像デバイス５６０′等も利用できる。制御ユニット５１０ａの機能としては（別の言い方をすればコンピュータプログラムが有する機能としては）、このような撮像デバイス５６０′により術者の目の開閉状態を判別するものであってもよい。また、その結果に基いて、例えばマウス等の入力操作を制限するような動作を行うようなものであってもよい。
【００３２】
より具体的には、術者が、目を一定時間閉じている、あるいは、まばたきの回数が所定の基準値（例えばその人の通常時のまばたき回数）よりも増えているような場合に、マウスからの入力（例えば、クリックおよび／またはマウスホイールの回転等）を規制するようにしてもよい。１つの手法としては、マウスからそうした入力がなされているが、コンピュータ側で、そうした入力がされた際に本来なされるべき処理（例えば、ビューワ上でのページング動作など）を行わず停止させる、または、行うが通常時よりもページングの移動量を少なくする等の処理を行うものであってもよい。ページング速度を急にゼロにするのではなく、徐々に低減させる、または、一時的に低減させるといった補正処理を実施してもよい。このような構成によれば、目の開閉状態が非正常の場合に、マウス等の入力操作が制限（禁止）されるので、例えばコンピュータの任意のソフトウェアに対する所定の入力（限定されるものではないが、例えば、電子メールソフトにおける送受信ボタンの選択等でもよい）が無効となり、その結果、誤操作などを防止することも可能となる。
【００３３】
マウスホイールを回転させた際にソフトウェア上の所定の対象物をどれくらい移動させるか（あるいはスクロールさせるか）に関しては、コンピュータにおいて設定されているマウスの設定に依存することもある。本発明の一形態では、上記のような術者の目の開閉状態の異常を検出した際に、一時的に、マウスホイールを回転させた際にソフトウェア上の所定の対象物をどれくらい移動させるかの設定量が低くなるように構成されていてもよい。
【００３４】
（まばたき検出について）
次いで、まばたき検出について、図３のフローチャートに沿って説明する。
【００３５】
まず、ステップＳ１で、撮像デバイス５６０による撮像を開始するとともに、画像読影装置５００のまばたき検出機能をＯＮとする。これにより、術者の目の開閉状態の判別が開始される。
【００３６】
次いで、ステップＳ２で、目の開閉状態が正常範囲内であるか否かの判定を行う。この判定について詳細は上記で述べたとおりであるので、重複する説明は省略するが、例えば、術者の目が一定時間以上閉じているか否かを判定する。
【００３７】
ステップＳ２で「正常」（例：術者の目が一定時間以上閉じてはいない）と判定された場合、継続してステップＳ１、Ｓ２を行う。
【００３８】
一方、ステップＳ２で「非正常」（例：術者の目が一定時間以上閉じている）と判定された場合、以下のようなステップをとる。なお、図３のフローチャートでは説明の都合上、ステップＳ３ａ〜ステップＳ３ｄを並列に例示しているが、当然ながら、これらの全てを実施する必要はなく、また、実施する順番についても適宜変更可能である。
【００３９】
ステップＳ３ａでは、術者に対し、音、画像、文字情報、および振動の１つまたは複数であるアラームが発せられる。
【００４０】
ステップＳ３ｂでは、画像読影装置５００で実施している読影動作、特には、自動で画像が切り替わる自動ページング動作におけるページング速度を低減させる、または、ページング動作を停止することが行われる。なお、このような動作を行った場合には、当該履歴がログデータとして所定の記憶領域に保存されるようになっていてもよい。
【００４１】
ステップＳ３ｃでは、術者が画像を精査できないような状態で、どこからどこまでの医用画像がページングされてしまったか（動画であればどこからどこまで進められたか）を知ることができるように、読影画面上のスクロールゲージ５３３のところに所定のハイライト表示がなされる。具体的な例を図４および図５を参照して説明する。
【００４２】
図５に例示されているのは、画像読影用の画面５３１であり、画面中の１つのウィンドウ内に体軸方向の医用画像５３１ａが表示され、他のウィンドウ内に医用画像５３１ｂが表示されている。また、この例では縦方向に延在するスクロールゲージ５３３が表示されている。他の形態として図４では、少し表示態様を変えて、スクロールゲージ５３３を横方向に表示したものを示している。
【００４３】
ここで、図４のスクロールゲージ５３３上の「１」、「３００」〜「４００」、「１０００」等の表示は、説明を分かりやすくするために撮像範囲の位置を表すために付したものである。１〜１０００までのゲージのうち、この例では、「３００」〜「４００」の部分がハイライトされている。このハイライトされた表示部５３５が、術者の読影に見落としの可能性がある領域である。なお、当然ながらこうした表示部５３５の表示の仕方は種々変更可能であり、必ずしも、ゲージ内をハイライトさせる態様に限定されるものではない。
【００４４】
再びフローチャートの説明に戻り、ステップＳ３ｄでは、術者が画像を精査できないような状態でどこからどこまでの医用画像がページングされてしまったかを知ることができるように、対象の医用画像の一部に所定の識別マークが表示されるようになっている。詳細な図示は省略するが、例えば、Ａ枚目からＢ枚目までの医用画像の一部に所定の識別マークが付される構成となっていてもよい。あるいは、これらの医用画像については、他の医用画像と比較して低い解像度で表示するようにしてもよい。こうすることで、これらの撮像画像については再度読影を行う必要があると認識することができるためである。
【００４５】
以上説明したような本実施形態の医療用画像読影装置によれば、撮像デバイス５６０で術者の顔を撮像しつつ、「まばたき検出機能」によりその術者の目の開閉状態を判別し、術者の目の開閉状態（読影状態）が非正常であると判定される場合には、警報を発したり、あるいは、自動ページング動作における速度を落としたりといった動作を行うものであるので、病巣等の見落としの発生を低減し、画像診断における信頼性をより向上させることができるものとなる。
【００４６】
（第２の実施形態）
上記では、目の開閉状態を判定するために撮像デバイスを用いる態様を示したが、撮像デバイスに変えて、眼電位センシングデバイスを利用するものであってもよい。
【００４７】
眼電位センシングデバイスとは、眼球運動に伴う電位差を検知して目の開閉状態等を検出するものである。例えば、三点式眼電位センシング技術を利用するものであってもよく、一形態では、眼電位センシングデバイスは、顔面に当接する３つの電極部材を有している。
【００４８】
具体的にはこのような電極部材としては、どのような形態であっても構わないが、一例として、眼鏡の眉間部分に１つ、鼻パッド部分に２つ配置され、それらが眼電位センサとして機能するようになっているものであってもよい。図７に模式的に示される眼電位センシングデバイス５８０は、眼鏡の眉間部分に配置される第１の眼電位センサ５８１と、鼻パッド部分に配置される２つの眼電位センサ５８２とを有している。
【００４９】
この眼電位センシングデバイスにより検出された眼電位の信号に基づき、コンピュータがソフトウェア上で目の開閉状態を判別するものであってもよい。この場合のコンピュータとしては、一般的なデスクトップ型ＰＣに限らず、ノート型ＰＣ、タブレット型ＰＣ、またはスマートフォン等の携帯型端末などであってもよい。ソフトウェアは、一例で、術者の眠気および／または疲労度などを判定するものであってもよい。
【００５０】
上記説明では基本的に画像読影装置の構成および動作を中心に説明したが、本出願は、上記一連の動作に対応する読影方法およびそれを実現するコンピュータプログラム等をも開示する。また、本願発明は上記に示した実施形態に何ら限定されるものではなく、その趣旨を逸脱しない範囲において適宜変更しうるものである。
【００５１】
本出願は、以下の発明を開示する：
１．コンピュータに、
ａ：撮像デバイス（560）によって撮像された画像を解析して、または、眼電位センシングデバイスによって検出されたデータに基いて、読影作業を行っている術者の目の開閉状態を判別する処理と、
ｂ：目の開閉状態が正常範囲内であるか否かの判定を行う処理と、
ｃ：術者に対する警告動作および／または読影動作に関連付けられた所定の動作を行う処理と、
を実行させるコンピュータプログラム。
【００５２】
２．目の開閉状態が正常範囲外の場合に、
コンピュータに、医用画像のページングの速度を低減させる処理、または、ページング動作を停止する処理を実行させる、
上記記載のコンピュータプログラム。
【００５３】
３．上記記載のコンピュータプログラムと、
術者を撮像する撮像デバイスまたは眼電位センシングデバイスと、
を備えるキット。
【００５４】
４．前記撮像デバイスまたは眼電位センシングデバイスが眼鏡の一部として設けられている、上記記載のキット。
【００５５】
５．コンピュータに、
ａ：撮像デバイス（560）によって撮像された画像を解析して、または、眼電位センシングデバイスによって検出されたデータに基いて、術者の目の開閉状態を判別する処理と、
ｂ：目の開閉状態が正常範囲内であるか否かの判定を行う処理と、
ｃ：正常範囲外である場合には、コンピュータの入力装置を介した入力を制限する処理と、を実行させるコンピュータプログラム。
【００５６】
６．前記撮像デバイスまたは眼電位センシングデバイスが眼鏡の一部として設けられている、上記記載のキット。
【００５７】
７．患者の医用画像を撮像する医療用撮像装置によって撮像された医用画像を読影するための医療用画像読影装置（500）であって、
前記医用画像を表示するための表示デバイス（502）と、
前記表示デバイスを見ながら作業を行う術者を撮像する撮像デバイス（560）、または、眼電位センシングデバイスと、
少なくとも画像読影機能を有する制御ユニット（501a）と、を備え、
前記制御ユニット（501a）は、
ａ：術者の目の開閉状態を判別し、
ｂ：目の開閉状態が正常範囲内であるか否かの判定を行い、
ｃ：術者に対する警告動作および／または読影動作に関連付けられた所定の動作を行う、
ように構成されている、医療用画像読影装置（500）。
【００５８】
８．前記制御ユニットは、目の開閉状態が正常範囲内であるか否かの前記判定として、
ｂ１：術者の目が一定時間以上閉じているか否かを判定する、
上記記載の装置。
【００５９】
９．前記制御ユニットは、目の開閉状態が正常範囲内であるか否かの前記判定として、
ｂ２：術者のまばたきの時間間隔が所定の閾値以下となっているか否かを判定する、
上記記載の装置。
【００６０】
１０．前記画像読影機能が、複数の医用画像を所定速度で順次表示していくページング機能を有するものであり、
術者の目の開閉状態が正常範囲外である場合に、読影動作に関連付けられた所定の動作として、ページング速度を低減させる、または、ページングを停止するように構成されている、上記記載の装置。
【００６１】
１１．前記画像読影機能が、複数の医用画像を所定速度で順次表示していくページング機能を有するものであり、
術者の目の開閉状態が正常範囲外である場合にページングが行われたときに、読影動作に関連付けられた所定の動作として、そのページング中に進んだ分の医用画像を認識するための画像表示部（535等）が表示される、上記記載の装置。
【００６２】
１２．前記画像表示部は、読影画面に表示されたスクロールゲージの一部（535）に表示される、上記記載の装置。
【００６３】
医療の装置に限らず、本発明を、一般的な画像および／または動画のモニタリング装置（閲覧装置）に応用することもできる。一例として下記のように表現した本発明の他の形態の技術的思想は、上述した本発明の一形態の各種発明と適宜組み合わせることができることに留意されたい。
Ａ１．撮像装置（例えば防犯カメラ等の撮像手段などでもよい）によって撮像された画像および／または動画を閲覧するための装置であって、
画像および／または動画を表示するための表示デバイスと、
前記表示デバイスを見ながら作業を行う作業者を撮像する撮像デバイス、または、眼電位センシングデバイスと、
少なくとも制御ユニット（コンピュータであってもよい）と、を備え、
前記制御ユニットは、
ａ：前記作業者の目の開閉状態を判別し、
ｂ：目の開閉状態が正常範囲内であるか否かの判定を行い、
ｃ：警告動作および／または読影動作に関連付けられた所定の動作を行う、
ように構成されている、装置。また、コンピュータにａ〜ｃの動作を実施させるためのコンピュータプログラム、等。
【符号の説明】
【００６４】
１００  画像診断システム
３００  医療用撮像装置
３０３ａ  制御部
３００ｂ  撮像部
３０４  ベッド
５００  医療用画像読影装置５００
５０１ａ  制御ユニット（制御部、プロセッサユニット、コントローラユニット）
５０１ｂ  記憶部
５０２  表示ユニット
５０３  筐体（コンピュータ本体）
５０５、５０６  入力デバイス
５３１  画面
５３１ａ、５３１ｂ  医用画像（画像のみならず、広義には動画をも含む）
５３３  スクロールゲージ
５３５  認識画像表示部
５６０、５６０′  撮像デバイス（カメラ）
５８０  眼電位センシングデバイス
５８１、５８２  眼電位センサ
【図１】
0006521587.tif 000002
【図２】
0006521587.tif 000003
【図３】
0006521587.tif 000004
【図４】
0006521587.tif 000005
【図５】
0006521587.tif 000006
【図６】
0006521587.tif 000007
【図７】
0006521587.tif 000008